(57)【要約】      （修正有）【課題】平面的な色紙に立体感ある球体イメージのボール形状を現すことができる色紙を提供する。【解決手段】円形状色紙は、その色紙の全体形状は円の一部を直径（楕円の場合は長軸の直径）の２／５〜３／５の長さの直線で切り欠いた切欠き円であり、かつ、その切欠き円の全周３が太線で囲まれるとともに、そのボールのプリントされた境界部分６、６’の線状模様上に一定幅で深さ０．２〜０．９ｍｍの押圧模様を有している。【選択図】図１
2015116666.tif 000002
【特許請求の範囲】
【請求項１】
ボールがカラープリントされた円形状色紙において、その色紙の全体形状は円の一部を直径（楕円の場合は長軸の直径）の２／５〜３／５の長さの直線で切り欠いた切欠き円であり、かつ、その切欠き円の全周が着色した太線で囲まれるとともに、そのプリントされたボールの境界部分の平面的な線状模様上に一定幅で深さ０．２〜０．９ｍｍの立体的な押溝パターンを重ねていることを特徴とする色紙。
【請求項２】
前記太線が金色の太線であることを特徴とする請求項１に記載の色紙。
【請求項３】
前記切欠き円の直線長さが直径（楕円の場合は長軸の直径）の５／１１〜６／１１の範囲であることを特徴とする請求項１に記載の色紙。
【請求項４】
前記平面的な線状模様に陰影模様が付加されていることを特徴とする請求項１に記載の色紙。
【発明の詳細な説明】
【技術分野】
【０００１】
本発明は、寄書き、サイン、メッセージ、誕生日、ブライダル、祝電等用の書込みが可能な色紙、特に寄書き用の色紙に関する。
【背景技術】
【０００２】
従来、色紙の台紙には様々な形状のものがあり、代表的な台紙はＢ５版からＡ４版の大きさで厚さが数ｍｍ程度である。この中には、図７の図面に示すように例えば円形の台紙の表面に赤い糸模様を印刷するサインボール色紙がある（実全昭５６−００３６７３号（後述する特許文献１））。しかしながら、ボールを印刷しただけでは、平面的な円と立体的な球との識別がつかず、球の立体的形状が表現できなかった。また、ボールの縫い目模様に遠近感をもたせて印刷しても、平面的な円と立体的な球との識別がつかず、同様であった。
【０００３】
他方、平面的形状を立体的にみせる手法としては、レーザービームの照射による溶融又は蒸発等によって形成された穴部を被加工体の一部に設けたレーザーノンカッティングカードであって、前記被加工体は各々異なる色彩に着色された複数の着色紙からなる積層体とし、前記穴部はそれぞれの着色紙に達する深さまで形成されるとともに，前記穴部の裏側に位置するところを含む前記被加工体裏面にメッセージ記載欄を設けたことを特徴とするレーザーノンカッティングカード（実登３０５１７７７号（後述する特許文献２））の手法や、１枚の大プレートを複数のプレート片に分割してなる寄せ書き用プレート（特開平８−１８７９７８号（後述する特許文献３））の手法がある。
【０００４】
しかし、前者のレーザによる手法は、色紙の用途に対して高価になりすぎ、実用的ではなく、従来と同様に立体的な球体の感じを出すことはできなかった。また、後者のプリント片による分割方法は、平面的な立体感は出るもののやはり立体的な球体の感じを出すことはできなかった。
【先行技術文献】
【特許文献】
【０００５】
【特許文献１】実全昭５６−００３６７３号公報
【特許文献２】実登３０５１７７７号公報
【特許文献３】特開平８−１８７９７８公報
【発明の概要】
【発明が解決しようとする課題】
【０００６】
本発明は、上記の課題を解決するためになされたものであり、平面的な色紙に立体的な球体イメージのボール形状を現すことを目的とする。
【課題を解決するための手段】
【０００７】
上記の課題を解決するための手段として、請求項１に記載の発明は、ボールがカラープリントされた円形状色紙において、その色紙の全体形状は円の一部を直径（楕円の場合は長軸の直径）の２／５〜３／５の長さの直線で切り欠いた切欠き円であり、かつ、その切欠き円の全周が着色した太線で囲まれるとともに、そのプリントされたボールの境界部分の平面的な線状模様上に一定幅で深さ０．２〜０．９ｍｍの立体的な押溝パターンを重ねていることを特徴とする色紙である。
【０００８】
また、請求項２に記載の発明は、前記太線が金色の太線であることを特徴とする請求項１に記載の色紙である。  
【０００９】
また、請求項３に記載の発明は、切欠き円の直線長さが直径（楕円の場合は長軸の直径）の５／１１〜６／１１の範囲であることを特徴とする請求項１に記載の色紙である。
【００１０】
また、請求項４に記載の発明は、前記平面的な線状模様に陰影模様が付加されていることを特徴とする請求項１に記載の色紙である。
【００１１】
本発明において、その色紙の全体形状は円の一部を直径の２／５〜３／５の長さの直線で切り欠いた切欠き円としたのは、切り欠いた直線部分を切り取られた円弧面積と視認することによってプリントボールに前進するような動きのイメージを持たせるためである。ここで、この直線長さを２／５〜３／５としたのは、２／５未満ではこのような前進感が得られず、３／５を超えるとボールイメージが希薄になるためである。より好ましい前進感が得られる範囲は３／７〜４／７の範囲である。最も好ましい切欠き長さは略半径の長さの５／１１〜６／１１の範囲である。前進するような動きのイメージによって立体的なボールが浮かび上がってくるイメージが得られる。
【００１２】
また、本発明において、楕円の場合は長軸の直径としたのは、ラグビーボールやアメリカンフットボールのボールでは色紙の台紙に一部を省略したプリントボールを使用するので、そのプリントされたボールの端から端までを長軸として円の直径と同じ扱いをするためである。
【００１３】
ここで、ボールとは、球体または球状体をいう。具体的には、サッカーボール、野球のボール、テニスボール、バレーボール、バスケットボール、ゴルフボール、ボーリングのボール、卓球のボール、ホッケーのボール、またはラグビーのボール、アメリカンフットボールのボール、バトミントンの羽根のボールなどである。
【００１４】
また、本発明において、その切欠き円の全周が着色した太線で囲まれることとしたのは、色紙としての慣習を重んじたためである。祝辞には金色、銀色またはこれらの組合せの色が好まれるので、これらの色が好ましく、金色が特に好ましい。
【００１５】
また、本発明において、ボールの境界部分にある平面的な線状の、くぼんでみえるプリント模様上に、一定幅で深さ０．２〜０．９ｍｍの立体的な押溝パターンを重ねていることとしたのは、色紙に自然光が当たることによって平面的なプリント模様上に立体的な光の陰影像を付加するためである。この押溝パターンが一定であっても平面的なプリントの線状模様に立体的な変化を持たせることによって球体状の立体感を醸し出すことができる。特に押溝パターンに沿って平面的な光の陰影の帯をプリントすると、あたかも立体的な光の陰影像が生じているかのような錯覚を生じさせることができるのでより好ましい。  
【００１６】
この押溝パターンは、連続的に漸増または漸減することができ、あるいは、段階的に逓増または逓減することができる。また、この押溝パターンは、ボールの種類に合わせて適宜その幅や深さを定めることができる。
【発明の効果】
【００１７】
本発明は、平面的な線状凹みのプリント模様上に立体的な押溝パターンを付加することによりボールの立体感を増し、同時に、切欠き円を設けることによってプリントボールが前方に前進してくるような動きのイメージを持たせ、立体感と前進イメージがあわさって立体的なボールが浮かび上がるイメージを作る効果がある。また、本発明の色紙の材質は、筆記具で記載しやすい紙等の材質なので、プリント模様上に自由に寄せ書きやサインをすることができ、必要に応じて着脱自在な写真等を貼付することもできる効果がある。また、本発明は、ボールの底部を直線で切り欠いているので、その切欠きを色紙の受け台に載せることができる効果もある。
【図面の簡単な説明】
【００１８】
【図１】本願発明にかかる色紙を例示した図である。
【図２】図１の押溝パターンである。
【図３】本願発明にかかる他の色紙を例示した図である。
【図４】本願発明にかかる他の色紙を例示した図である。
【図５】本願発明にかかる他の色紙を例示した図である。
【図６】本願発明にかかる色紙を載せる折り畳み式紙製スタンドを例示した図である。
【図７】従来の色紙を例示した図である。
【発明を実施するための形態】
【００１９】
以下本発明を実施するための形態を、図面を用いて詳細に説明する。
【００２０】
＜実施例１＞
図１は、サッカーボール（１）を白黒で例示した図である。サッカーボール（１）の半径を切欠き線（２）の長さとし、その全周（３）は金色の縁で彩られている。このサッカーボール（１）は、６個の黒色五角形と９個の白色六角形からなり、黒色の略正五角形（４）が中心に配置され、それに白色の六角形（５）が隣接している。それぞれの境界部分（６）は、くぼんで見える略５〜２０個のＳ字、代表的には７〜１５個のＳ字のプリント模様上に一定幅の立体的な押溝パターンが連なっている。図２に示すように、押溝パターンの幅は、ボール半径の略１／８０である。また、押溝パターンの深さは、０．４ｍｍである。境界線のうち、中心の黒色略正五角形（４）の上部の境界部分（６‘）は、切欠き線（２）の垂直二等分線上に配置されている。このサッカーボール（１）のプリントされた図形は、左上方から光を当てたイメージで、中央の黒色略正五角形（４）および左側と上側の黒色変形五角形（７’）に白い線状ないし散在状の帯模様（８）がプリントされている。また、白色の六角形（５）にも白っぽい光の部分の模様（９）と黒っぽい影の部分の模様（１０）が強調してプリントされている。
【００２１】
このサッカーボールは、中央の黒色略正五角形（４）の下側にある２個の黒色変形五角形（７）の下端部分が切り取られた形状になっているので、上方の面積が下方の面積よりも大きくなり、立体的なボールが浮かび上がってくるイメージが得られている。
【００２２】
＜実施例２＞
図３は、テニスボールを黄緑色と白色で例示した図である。テニスボールの半径を切欠き長さとし、その全周は金色の縁で彩られている。このテニスボールは、押溝パターンの最大幅がボール半径の略１／２５で、最小幅が略１／５０である。押溝パターンの幅は、白色模様と緑色模様をまたいでいる。押溝パターンの深さは実施例１と同様である。このテニスボールも立体的なボールが目の前に浮かび上がってくるイメージが得られている。
【００２３】
＜実施例３＞
図４は、バレーボールを白色で例示した図である。このバレーボールの半径も切欠き長さとし、その全周は金色の縁で彩られている。このバレーボールは、全表面が白色であるが、プリント模様に実施例１と同様の押溝を付加し、白色模様の一部を切り欠くことによってすることによって立体的なボールが浮かび上がってくるイメージが得られている。押溝パターンの最大幅がボール半径の略１／１００で、終端の押溝パターンは閉じている。
【００２４】
＜実施例４＞
図５は、野球のボールを白色下地に縫い目を赤色で例示した図である。このボールの半径も切欠き長さとし、その全周は金色の縁で彩られている。このボールは、２つの白色円弧状縫い目および赤糸とその穴の境界面にプリント模様に実施例１と同様の押溝パターンを付加することによって立体的なボールが浮かび上がってくるイメージが得られている。赤糸押溝パターンの最大幅がボール半径の略１／３０で、白色円弧状縫い目部分には立体的な押溝パターンはない。
【００２５】
＜実施例５＞
図６は、本願発明にかかる各種ボールの色紙を載せる折り畳み式紙製スタンドを例示した図である。図６中、実線は切取り線で、点線は折曲げ線である。スタンドを組み立てるには、まず上下に走る平行な2本の点線を直角に折り曲げ、次いで中央の水平な点線を折り曲げ相互の溝同士を噛み合わせることによってスタンドが背面で固定され、完成する。ボール色紙はスタンドの前面の押溝に載せることができる。
【００２６】
＜比較例１＞
図１のサッカーボールを９０度回転して上下のボールの長さを均一にしたものをみると、中央の黒色略正五角形が小さくみえ、浮かび上がってくるイメージがなくなってしまうことがわかる。
【符号の説明】
【００２７】
１・・・サッカーボール
２・・・切欠き線
３・・・全周
６、６‘・・・境界部分
８・・・帯
９・・・白っぽい光の部分
１０・・・黒っぽい影の部分
【図１】
2015116666.tif 000003
【図２】
2015116666.tif 000004
【図３】
2015116666.tif 000005
【図４】
2015116666.tif 000006
【図５】
2015116666.tif 000007
【図６】
2015116666.tif 000008
【図７】
2015116666.tif 000009